(57)【特許請求の範囲】
【請求項１】
壁面に取り付けた水栓取付ケーシングに水栓を固定した構造において、
該水栓と共にストッパを該水栓取付ケーシングに固定し、該ストッパの先端を壁面又は該壁面に固定された部材に隙間を介して対峙させた水栓取付構造であって、
該ストッパは、該壁面又は該部材から離隔しており、
該隙間は０．５〜５ｍｍであることを特徴とする水栓取付構造。
【請求項２】
請求項１において、前記ストッパは水栓挿通孔を有した平板部と、該平板部から壁面に向って延設された脚片と、該脚片の先端に設けられた起立片又は垂下片とを有することを特徴とする水栓取付構造。
【発明の詳細な説明】
【０００１】
【発明の属する技術分野】
本発明は水栓取付ケーシングに対し水栓を固定した構造に関するものであり、特に水栓操作時に水栓がぐらつくことがなく、しかも水栓の取付作業が容易な水栓取付構造に関するものである。
【０００２】
【従来の技術】
水栓取付ケーシングに水栓を固定した従来の水栓取付構造について図３を参照して説明する。
【０００３】
壁面１０の前面側に合成樹脂製の水栓取付ケーシング１２がビス１４によって固定され、この水栓取付ケーシング１２の水栓取付孔に水栓１６が取り付けられている。この水栓１６はフランジ１８を該水栓取付孔の前縁に当接させ、雄ネジ部２０を水栓取付孔に挿通し該雄ネジ部２０にワッシャ２２を介してナット２４を締め込むことにより固定されている。この水栓１６には、ワンタッチジョイント２６及びバンド金具３０を介して給水管２８が接続されている。３２は手洗器又は洗面器、３４は水栓取付ケーシング１２のトッププレートを示す。
【０００４】
この水栓１６は、ハンドル１６ａを摘んで回すことにより開栓及び閉栓する。
【０００５】
【発明が解決しようとする課題】
上記図３の水栓取付構造にあっては、水栓１６がケーシング１２のみに支承されているため、水栓１６を開栓又は閉栓操作すべくハンドル１６ａを押したときに水栓取付ケーシング１２が所謂ベコベコする如く変形し、操作しにくいことがある。
【０００６】
特開平７−１９７４９７号公報には、水栓を専用ブラケットで壁面に固定し水栓の操作荷重を水栓取付ケーシングに負担させないようにした構造が記載されている。同号公報の構造であれば、水栓は壁面に堅固に固定されるため、水栓の操作時に水栓がぐらついたりすることはない。
【０００７】
ところが、同号公報の構造にあっては壁面に固定された水栓と水栓取付ケーシングとの位置合わせが難しく、場合によっては、水栓取付ケーシングの孔と水栓とが合致しないことがある。また、無理矢理水栓取付ケーシングの孔と水栓とを係合させたためにケーシングに応力が残留し、ケーシングが早期に応力劣化することもある。
【０００８】
本発明は、このような問題点を解決し、水栓の操作時に水栓がぐらついたりすることがなく、しかも水栓のケーシングに対する取付作業も容易な水栓取付構造を提供することを目的とする。
【０００９】
【課題を解決するための手段】
本発明の水栓取付構造は、壁面に取り付けた水栓取付ケーシングに水栓を固定した構造において、該水栓と共にストッパを該水栓取付ケーシングに固定し、該ストッパの先端を壁面又は該壁面に固定された部材に隙間を介して対峙させた水栓取付構造であって、該ストッパは、該壁面又は該部材から離隔しており、該隙間は０．５〜５ｍｍであることを特徴とするものである。
【００１０】
かかる水栓取付構造にあっては、水栓を操作すべく水栓を押したときに、ストッパが壁面又は該部材に当接し、水栓がそれ以上後退しないので、水栓がぐらつかず、操作し易い。また、このストッパは壁面からは離隔しており、水栓取付ケーシングのみに固定され、壁面には固定されない。そして、水栓は水栓取付ケーシングのみに固定されるから、水栓の該ケーシングへの取付作業も容易である。
【００１１】
なお、本発明では、ストッパは水栓挿通孔を有した平板部と、該平板部から壁面に向って延設された脚片と、該脚片の先端に設けられた起立片又は垂下片とを有することが好ましい。
【００１２】
【発明の実施の形態】
図１は実施の形態に係る水栓取付構造を示す断面図、図２はストッパの斜視図である。
【００１３】
この実施の形態にあっては、前記図３のワッシャ２２とナット２４との間にストッパ４０を挟持させている。このストッパ４０は、水栓挿通孔４２を有した平板部４４と、この平板部４４から後方に延出した脚片４６、４８と該脚片４６、４８の先端から折曲形成された起立片４６ａ及び垂下片４８ａとを備えてなる。
【００１４】
脚片４６は平板部４４の両サイド側にそれぞれ配置され、脚片４８はこれらの脚片４６、４６間に配置されている。脚片４６の先端には起立片４６ａが設けられ、脚片４８の先端には垂下片４８ａが設けられている。水栓挿通孔４２は１対の平行部４２ａ、４２ａを有した非円形孔となっており、水栓１６の雄ネジ部２０及び水栓取付ケーシング１２の水栓取付孔も同様の非円形状となっている。このため、水栓１６及びストッパ４０は、ナット２４の締込み時にナット２４と共回りすることが無い。
【００１５】
このストッパ４０の起立片４６ａ及び垂下片４８ａはいずれも壁面１０からごくわずか（０．５〜５ｍｍ好ましくは１〜３ｍｍとりわけ１〜２ｍｍ程度）離隔している。
【００１６】
この実施の形態のその他の構成は図３と同様であり、同一符号は同一部分を示している。
【００１７】
このように構成された水栓取付構造にあっては、水栓１６を開閉栓すべくハンドル１６ａを押したときにストッパ４０が壁面１０に当接するので、ストッパ４０及び水栓１６がそれ以上後退せず、水栓１６がぐらつかない。
【００１８】
この水栓取付構造にあっては、ストッパ４０が壁面１０から離隔しており、ストッパ４０を壁面１０に固定しないので、ストッパ４０を水栓取付ケーシング１２に簡単に取り付けることができる。
【００１９】
図１ではストッパ４０の先端（片４６ａ、４８ａ）を壁面１０に直に対面させているが、壁面１０の前面にプレートやブロックなどの部材を取り付け、ストッパ４０の先端（片４６ａ、４８ａ）を該部材に対面させても良い。この場合も、該部材とストッパ４０の先端との間に若干の隙間をあける。なお、壁面にストッパの後端を固定し、該ストッパの前端を水栓取付ケーシング内の水栓後部の直近に配置することも考えられるが、この場合、ストッパと水栓との位置合わせが難しいので、上記のように水栓１６を利用してストッパ４０を固定するのが良い。
【００２０】
上記実施の形態では、起立片４６ａと垂下片４８ａとが設けられているが、いずれか一方のみを設けるようにしても良い。
【００２１】
【発明の効果】
以上の通り、本発明によると、水栓を水栓取付ケーシングに取り付けた構造において、水栓操作時に水栓がぐらつくことがストッパにより防止され、水栓の操作感が良好となる。また、このストッパは壁面には固定されず、水栓取付ケーシングのみに固定されるものであるため、水栓取付作業性も良好である。
【図面の簡単な説明】
【図１】実施の形態に係る水栓取付構造の断面図である。
【図２】実施の形態に用いられるストッパの斜視図である。
【図３】従来例を示す断面図である。
【符号の説明】
１０  壁面
１２  水栓取付ケーシング
１６  水栓
１８  フランジ
２２  ワッシャ
２４  ナット
４０  ストッパ
４２  水栓挿通孔
４４  平板部
４６、４８  脚片
４６ａ  起立片
４８ａ  垂下片
【図１】
0003546699.tif 000002
【図２】
0003546699.tif 000003
【図３】
0003546699.tif 000004